(57)【要約】【課題】締め付けが均等化されやすい釣り用履き物の提供。【解決手段】本発明に係る釣り用履き物１４は、履き物を幅方向において締め付けうる一対のベルト２８、３０と、履き物を幅方向において締め付けうる他の一対のベルト３２、３４とを備える。一対のベルト２８、３０のうちの一方のベルト３０の締め付けは、アウトサイド方向への引っ張りにより可能とされている。一対のベルト２８、３０のうちの他方のベルト２８の締め付けは、インサイド方向への引っ張りにより可能とされている。一対のベルト３２、３４のうちの一方のベルト３４の締め付けは、アウトサイド方向への引っ張りにより可能とされている。一対のベルト３２、３４のうちの他方のベルト３２の締め付けは、インサイド方向への引っ張りにより可能とされている。【選択図】図１
2008110157.tif 000002
【特許請求の範囲】
【請求項１】
履き物を幅方向において締め付けうる一対のベルトを備え、
この一対のベルトのうちの一方のベルトの締め付けは、アウトサイド方向への引っ張りにより可能とされ、
この一対のベルトのうちの他方のベルトの締め付けは、インサイド方向への引っ張りにより可能とされた釣り用履き物。
【請求項２】
上記一対のベルトが、甲部に設けられている請求項１に記載の釣り用履き物。
【請求項３】
上記一対のベルトが、足首部に設けられている請求項１に記載の釣り用履き物。
【発明の詳細な説明】
【技術分野】
【０００１】
本発明は、釣りの際に着用される履き物に関する。
【背景技術】
【０００２】
釣りは、滑りやすい場所で行われることが多い。例えば海釣りは、海藻が付着した岩場や、海水でぬれた防波堤等で行われる。渓流の釣りでは、下半身が水につかった状態で釣りが行われる。渓流の川底は、非常に滑りやすい。
【０００３】
釣り用履き物においては、滑りにくさが考慮される。釣り用履き物として、釣り用靴、ウェーダー、ブーツ、たび等が公知である。
【０００４】
足が靴の中で動くと、足もとが不安定となり、滑りやすさが助長される。履き物と足との一体性を高める観点から、甲部を締め付けうる釣り用履き物が提案されている。特開２００５−３２５４８０公報は、甲部を締め付ける為のベルト部を備えたウェーダーを開示する。
【特許文献１】特開２００５−３２５４８０
【発明の開示】
【発明が解決しようとする課題】
【０００５】
履き物と足との一体性をより一層高めるために、複数のベルトを設けることが考えられる。図６は、甲部を締め付けるための２つの甲部ベルト２、４と、足首部を締め付けるための２つの足首ベルト６、８とを有する釣り用靴１０の斜視図である。図６は、ベルトが開放された状態を示している。図６は、締め付けがなされていない状態を示している。各ベルト２、４、６、８は、リング１２に挿通されている。各ベルト２、４、６、８には、面ファスナーが設けられている。各ベルト２、４、６、８のそれぞれは、フック面ｆとループ面ｒとを有する。フック面ｆとループ面ｒとにより、面ファスナーが構成されている。リング１２で折り返されたベルトのフック面ｆとループ面ｒとを密着させることにより、締め付けが可能となる。複数のベルトにより、締め付けられる範囲が広くされうる。
【０００６】
しかしながら、釣り用靴１０では、締め付けの均一性が得られにくい。一対のベルトを同時に締め付けることは困難である。ベルトは、１本ずつしか締め付けられない。例えば、甲部ベルトを締め付ける場合、先ず、甲部ベルト２、４のうちの一方のベルトを締め付け、次いで、甲部ベルト２、４のうちの他方のベルトを締め付ける。このとき、他方のベルトの締め付けにより、既に締め付けられていた一方のベルトが緩むことがある。甲部ベルト２と甲部ベルト４とを均等に締め付けることは、困難である。同様に、足首ベルト６と足首ベルト８とを均等に締め付けることは、困難である。
【０００７】
また、釣り用靴１０では、幅方向における締め付けの均一性が得られにくい。釣り用靴１０におけるベルトの引っ張り方向は、アウトサイド方向のみである。したがって、ベルトによる締め付けが、幅方向一方側に偏りやすい。
【０００８】
本発明の目的は、ベルトによる締め付けの均等性を向上させた釣り用履き物の提供にある。
【課題を解決するための手段】
【０００９】
本発明に係る釣り用履き物は、履き物を幅方向において締め付けうる一対のベルトを備える。この一対のベルトのうちの一方のベルトの締め付けは、アウトサイド方向への引っ張りにより可能とされている。この一対のベルトのうちの他方のベルトの締め付けは、インサイド方向への引っ張りにより可能とされている。
【００１０】
好ましくは、上記釣り用履き物において、上記一対のベルトは、甲部に設けられている。
【００１１】
好ましくは、上記釣り用履き物において、上記一対のベルトは、足首部に設けられている。
【発明の効果】
【００１２】
締め付け時における引っ張り方向が互いに逆方向とされうる一対のベルトにより、２本同時での締め付けが可能となるとともに、締め付けの均等性が向上しうる。
【発明を実施するための最良の形態】
【００１３】
以下、適宜図面が参照されつつ、好ましい実施形態に基づいて本発明が詳細に説明される。
【００１４】
図１は、本発明の一実施形態に係る釣り用靴１４の斜視図であり、図２はその側面図である。図１は、左右一対の釣り用靴１４のうち、左足用の釣り用靴１４を示す。図２は、左足用の釣り用靴１４をアウトサイドから見た側面図である。図１は、ベルトが開放された状態の図であり、図２は、ベルトによる締め付けがなされた状態の図である。釣り用靴１４は、底部１６とアッパー１８とを備える。底部１６は、防滑ソール２０を備える。更に底部１６は、ミッドソール２２を備えている。
【００１５】
防滑ソール２０は、フェルトからなる。フェルトは、川底や濡れた岩場等における釣り用靴１４のスリップを抑制する。防滑ソール２０は、面ファスナー（図示省略）によってミッドソール２２に接合されている。防滑ソール２０は、ミッドソール２２に対して着脱自在である。フェルトが摩耗した場合は、防滑ソール２０が交換されうる。底部１６のの構成は、特に限定されない。
【００１６】
ミッドソール２２は、ゴム組成物が架橋されてなる。ミッドソール２２には、強度に優れたゴムが用いられる。好ましいゴムとしては、天然ゴム、ポリブタジエン及びスチレン−ブタジエン共重合体が例示される。ミッドソール２２は、加硫接着によってアッパー１８と水密に接合されている。ミッドソール２２が、接着剤によってアッパー１８に接合されてもよい。
【００１７】
アッパー１８は、合成皮革、合成繊維、防水透湿生地等よりなる。防水透湿生地は、外部からの水の浸入を阻止し、汗の水蒸気を外部に放出しうる。この防水透湿生地により、蒸れが抑制される。防水透湿生地の具体例としては、シマノ社の「ドライシールド」及びゴアテックス社の「ＧＯＲＥ−ＴＥＸ（登録商標）」が挙げられる。
【００１８】
アッパー１８は、甲部２４と足首部２６とを有する。甲部２４は、人体の甲を覆いうる部分である。足首部２６は、人体の足首を覆いうる部分である。また、アッパー１８は、本体１９と、ベロ２１とを有する。本体１９は、その幅方向中央部に離間部２３を有している。離間部２３は、足首部２６の上端から、甲部２４の中間位置にまで連続的に設けられている。ベロ２１は、靴の内側から離間部２３を覆っている。ベロ２１の幅方向における両縁は、本体１９に縫い付けられている。
【００１９】
アッパー１８は、４つのベルト２８、３０、３２、３４を有する。ベルト２８及びベルト３０は、アッパー１８の甲部２４に設けられている。ベルト２８とベルト３０とは、一対の甲部ベルトを構成する。ベルト３２及びベルト３４は、アッパー１８の足首部２６に設けられている。ベルト３２とベルト３４とは、一対の足首ベルトを構成する。
【００２０】
アッパー１８は、４つのリング３６を有する。リング３６は、金属、樹脂等からなる。リング３６は、略長方形である。リング３６は、一本のベルト毎に１個ずつ設けられている。４つのベルト２８、３０、３２、３４は、それぞれ１個のリング３６に挿通されている。
【００２１】
図３は、図２のIII-III線に沿った断面図である。図３は、ベルト３０及びその周辺の断面を示す。図４は、図２のIV-IV線に沿った断面図である。図４は、ベルト２８及びその周辺の断面を示す。図３及び図４は、幅方向に沿った断面図である。なお、図３及び図４では、見やすい図面とする目的で、ベルト断面のハッチングが省略されている。また図３及び図４では、見やすい図面とする目的で、ベルトのループ面ｒとフック面ｆとが離れた状態としている。
【００２２】
図３が示すように、ベルト３０の後端部ｂは、本体１９に固定されている。この固定は、縫い付けによりなされている。ベルト３０の後端部ｂは、釣り用靴１４のアウトサイドに位置している。ベルト３０は、リング３６に挿通されつつ、折り返される。リング３６は、リング保持部４０に保持されている。リング保持部４０は、本体１９のインサイドに固定されている。リング保持部４０は、折り返された帯状体を本体１９に縫い付けることにより構成されている。リング３６は、リング保持部４０のループ４１に挿通されている。リング保持部４０は、リング３６の移動を規制する。リング保持部４０により、リング３６は、本体１９のインサイドに保持される。
【００２３】
図４が示すように、ベルト２８の後端部ｂは、本体１９に固定されている。この固定は、縫い付けによりなされている。ベルト２８の後端部ｂは、釣り用靴１４のインサイドに位置している。ベルト２８は、リング３６に挿通されつつ、折り返される。リング３６は、リング保持部４４に保持されている。リング保持部４４は、本体１９のアウトサイドに固定されている。リング保持部４４は、折り返された帯状体を本体１９に縫い付けることにより構成されている。リング３６は、リング保持部４４のループ４５に挿通されている。リング保持部４４は、リング３６の移動を規制する。リング保持部４４により、リング３６は、本体１９のアウトサイドに保持される。
【００２４】
図５（ａ）は、ベルト２８の裏側を示す平面図である。図５（ｂ）は、ベルト２８の表側を示す平面図である。ベルト２８の裏側には、ループ面ｒとフック面ｆとが設けられている。ベルト長手方向において、先端部ｔ寄りの部分が、フック面ｆとされている。ベルト長手方向において、後端部ｂ寄りの部分が、ループ面ｒとされている。ベルト２８の長手方向中間位置には、ループ面ｒとフック面ｆとの境界ｋがある。図５では、ループ面ｒ及びフック面ｆをそれぞれ異なるハッチングで示している。ループ面ｒとフック面ｆとにより、面ファスナーが構成される。図５（ｂ）が示すように、ベルト２８の表側には、ループ面ｒ及びフック面ｆは設けられていない。フック面ｆとループ面ｒとの位置関係が逆であってもよい。ベルト３０、ベルト３２及びベルト３４の構造は、ベルト２８と同じである。
【００２５】
図３が示すように、ベルト３０による締め付けは、アウトサイド方向への引っ張りによりなされうる（図３の白抜き矢印参照）。ベルト３０の先端部ｔをアウトサイド方向に引っ張ると、ベルト３０の折り返し位置Ｖが変わりうる。折り返し位置Ｖの変動により、ベルト３０の後端部ｂとリング３６との幅方向における離間距離Ｄ（図示省略）が調整される。この調整により、締め付けがなされうる。離間距離Ｄが短いほど、締め付けがきつくなる。折り返されたベルト３０のループ面ｒとフック面ｆとは、対向する。対向したループ面ｒとフック面ｆとを密着させることにより、面ファスナーが機能し、折り返し位置Ｖは固定される。面ファスナーの機能により、締め付け状態が維持される。このように、ベルト３０は、アウトサイド方向への引っ張りにより幅方向への締め付けを可能とする締め付け機構を構成する。この締め付けにより、人体の足と釣り用靴１４との一体性が高められうる。
【００２６】
一方、図４が示すように、ベルト２８による締め付けは、インサイド方向への引っ張りによりなされうる（図４の白抜き矢印参照）。ベルト２８の先端部ｔをインサイド方向に引っ張ると、ベルト２８の折り返し位置Ｖが変わりうる。折り返し位置Ｖの変動により、ベルト２８の後端部ｂとリング３６との幅方向における離間距離Ｄ（図示省略）が調整される。この調整により、締め付けがなされうる。離間距離Ｄが短いほど、締め付けがきつくなる。折り返されたベルト２８のループ面ｒとフック面ｆとは、対向する。対向したループ面ｒとフック面ｆとを密着させることにより、面ファスナーが機能し、折り返し位置Ｖは固定される。面ファスナーの機能により、締め付け状態が維持される。このように、ベルト２８は、インサイド方向への引っ張りにより幅方向への締め付けを可能とする締め付け機構を構成する。この締め付けにより、人体の足と釣り用靴１４との一体性が高められうる。
【００２７】
なお、離間部２３の幅Ｗは、上記離間距離Ｄの調整により変動しうる。離間部２３により、離間距離Ｄの調整が円滑とされている。離間距離Ｄが狭くなると、離間部２３の幅Ｗが狭くなる。離間部２３の幅Ｗが狭くなると、ベロ２１は弛む。ベロ２１は、弛みやすい柔軟な素材よりなる。ベロ２１は、離間距離Ｄの調整を阻害しない。                    
【００２８】
図３と図４とは左右反転の関係にある。ベルト２８における締め付け時の引っ張り方向と、ベルト３０における締め付け時の引っ張り方向とは、互いに逆方向とされうる。互いに逆とされた締め付け方向により、ベルト２８とベルト３０とは同時に締め付けられうる。即ち、ベルト２８を一方の手（例えば右手）で引っ張りつつ、ベルト３０を他方の手（例えば左手）で引っ張ることができる。よって、ベルト２８とベルト３０との間の締め付けが均等化されやすくなる。また、２本のベルトが同時に締め付けられることにより、締め付け作業が迅速になされうる。
【００２９】
以上に説明したベルト２８及びベルト３０は、甲部２４に設けられたベルトである。足首部２６に設けられたベルト３２、３４は、ベルト２８及びベルト３０と同じ作用を奏する。ベルト３２による締め付け機構は、ベルト２８による締め付け機構と同じである。ベルト３２による締め付け機構は、インサイド方向への引っ張りによる締め付けを可能とする。ベルト３４による締め付け機構は、ベルト３０による締め付け機構と同じである。ベルト３４による締め付け機構は、アウトサイド方向への引っ張りによる締め付けを可能とする。ベルト３２における締め付け時の引っ張り方向と、ベルト３４における締め付け時の引っ張り方向とは、互いに逆方向とされうる。互いに逆とされた締め付け方向により、ベルト３２とベルト３４とを同時に締め付けることが可能となる。即ち、ベルト３２を一方の手（例えば右手）で引っ張りつつ、ベルト３４を他方の手（例えば左手）で引っ張ることができる。よって、ベルト３２とベルト３４との間の締め付けが均等化されやすくなる。また、２本のベルトが同時に締め付けられることにより、締め付け作業が迅速になされうる。
【００３０】
釣り用靴１４におけるベルトの引っ張り方向は、アウトサイド方向及びインサイド方向である。したがって、ベルトによる締め付けが、インサイドとアウトサイドとに分散されやすい。釣り用靴１４では、締め付けが幅方向一方側に偏りにくい。釣り用靴１４では、幅方向における締め付けの均一性が向上しうる。
【００３１】
釣り用靴１４では、甲部２４に設けられた一対のベルト２８、３０と、足首部２６に設けられた一対のベルト３２、３４とを有する。釣り用靴１４では、人体の甲及び足首が確実に締め付けられうる。釣り用靴１４は、足との一体性に極めて優れる。
【００３２】
上記実施形態の釣り用靴１４では、ベルトを締め付けた状態（図２の状態）において、ベルト２８の先端部ｔ及びベルト３２の先端部ｔがインサイドに位置する。インサイドに位置する先端部ｔは、歩行の際に邪魔となる可能性がある。例えば、左足に装着された靴のインサイドに位置する先端部ｔは、歩行の際、右足の靴と干渉しうる。図５が示すように、ベルトのフック面ｆ又はループ面ｒは、ベルトの先端部ｔにまで至っている。これにより、先端部ｔの突出が抑制され、インサイドに位置する先端部ｔが歩行の際に邪魔となりにくい。
【００３３】
上記実施形態の釣り用靴１４においては、折り返されるベルトが用いられた。折り返すことなく締め付け可能なベルトが用いられてもよい。例えば、履き物の幅方向一方側に固定されたループ面ｒと、履き物の幅方向他方側で固定されるとともに幅方向一方側にまで延在するベルトとを有し、このベルトがフック面ｆを備えている構成でもよい。また、面ファスナーを用いないベルトも採用されうる。例えば、長手方向複数位置に設けられた穴とバックルとを有するベルトが採用されてもよい。また、一対のベルトが配置される位置は、限定されない。
【産業上の利用可能性】
【００３４】
本発明は、あらゆる釣り用履き物に適用されうる。釣り用履き物には、釣り用靴、ウェーダー、ブーツ、足袋等が含まれる。
【図面の簡単な説明】
【００３５】
【図１】図１は、本発明の第一実施形態に係る釣り用靴の斜視図である。
【図２】図２は、図１の釣り用靴の側面図である。
【図３】図３は、図２のIII-III線に沿った断面図である。
【図４】図４は、図２のIV-IV線に沿った断面図である。
【図５】図５は、ベルトの平面図である。
【図６】図６は、比較例に係る釣り用靴の斜視図である。
【符号の説明】
【００３６】
１４・・・釣り用靴
１６・・・底部
１８・・・アッパー
１９・・・本体１９
２０・・・防滑ソール
２２・・・ミッドソール
２４・・・甲部
２６・・・足首部
２８、３０、３２、３４・・・ベルト
３６・・・リング
４０、４４・・・リング保持部
ｔ・・・ベルトの先端部
ｂ・・・ベルトの後端部
Ｖ・・・折り返し位置
ｒ・・・ループ面
ｆ・・・フック面
【図１】
2008110157.tif 000003
【図２】
2008110157.tif 000004
【図３】
2008110157.tif 000005
【図４】
2008110157.tif 000006
【図５】
2008110157.tif 000007
【図６】
2008110157.tif 000008